(57)【要約】【課題】撮像状況の確認容易性の低下を抑制しつつ、被写体の撮像時における周辺への影響を低減すること。【解決手段】被写体を撮像する撮像装置であって、表示画面を有する表示部と、撮像している被写体を示すプレビュー画像を表示画面に表示する表示制御部と、を備える。撮像装置は、通常モードとマナーモードとに切り替え可能である。表示制御部は、マナーモードである場合、表示画面においてプレビュー画像を表示する領域を通常モードよりも減少させるとともに、減少分の領域の少なくとも一部において画像を非表示にする。【選択図】図１
2013115722.tif 000002
【特許請求の範囲】
【請求項１】
被写体を撮像する撮像装置であって、
表示画面を有する表示部と、
前記撮像している被写体を示すプレビュー画像を前記表示画面に表示する表示制御部と、を備え、
前記撮像装置は、通常モードとマナーモードとに切り替え可能であり、
前記表示制御部は、前記マナーモードである場合、前記表示画面において前記プレビュー画像を表示する領域を前記通常モードよりも減少させるとともに、当該減少分の領域の少なくとも一部において画像を非表示にする、
ことを特徴とする撮像装置。
【請求項２】
前記表示制御部は、前記マナーモードである場合、前記プレビュー画像を縮小することによって、前記プレビュー画像を表示する領域を減少させる、
ことを特徴とする請求項１に記載の撮像装置。
【請求項３】
前記表示制御部は、前記マナーモードである場合、前記プレビュー画像の一部を非表示にすることによって、前記プレビュー画像を表示する領域を減少させる、
ことを特徴とする請求項１または請求項２に記載の撮像装置。
【請求項４】
前記表示制御部は、前記マナーモードである場合、前記プレビュー画像のうち、少なくとも顔認識された領域を表示しつつ、前記プレビュー画像の一部を非表示にすることによって、前記プレビュー画像を表示する領域を減少させる、
ことを特徴とする請求項３に記載の撮像影装置。
【請求項５】
前記表示制御部は、前記マナーモードである場合、前記プレビュー画像のうち、少なくとも合焦した領域を表示しつつ、前記プレビュー画像の一部を非表示にすることによって、前記プレビュー画像を表示する領域を減少させる、
ことを特徴とする請求項３または請求項４に記載の撮像装置。
【請求項６】
前記表示制御部は、前記マナーモードである場合、前記プレビュー画像のうち、少なくとも色追尾している領域を表示しつつ、前記プレビュー画像の一部を非表示にすることによって、前記プレビュー画像を表示する領域を減少させる、
ことを特徴とする請求項３〜請求項５のいずれか１項に記載の撮像装置。
【請求項７】
前記撮像装置は、ユーザーからの入力を受ける入力部をさらに備え、
前記表示制御部は、前記マナーモードである場合、前記プレビュー画像のうち、少なくとも前記入力部に対する入力によって指定された領域を表示しつつ、前記プレビュー画像の一部を非表示にすることによって、前記プレビュー画像を表示する領域を減少させる、
ことを特徴とする請求項３〜請求項６のいずれか１項に記載の撮像装置。
【請求項８】
前記画像処理部は、前記マナーモードである場合、前記プレビュー画像のうち、少なくとも前記表示画面の中央を中心とした所定サイズの領域を表示しつつ、前記プレビュー画像の一部を非表示にすることによって、前記プレビュー画像を表示する領域を減少させる、
ことを特徴とする請求項３〜請求項７のいずれか１項に記載の撮像装置。
【請求項９】
前記撮像装置は、前記被写体の動画像を撮像する撮像装置であって、
前記表示制御部は、前記通常モードで前記撮像している動画像を記録している場合、前記表示画面に、前記プレビュー画像に加えて前記動画像を記録している旨を示す記録通知画像を表示し、
前記表示制御部は、前記マナーモードで前記動画像を記録している場合、前記記録通知画像を表示するとともに、当該記録通知画像を除いた、前記プレビュー画像の少なくとも一部を非表示にする、
ことを特徴とする請求項１〜請求項８のいずれか１項に記載の撮像装置。
【請求項１０】
前記表示制御部は、前記マナーモードである場合、顔認識された領域の枠を示す枠画像を表示するとともに、当該枠画像を除いた、前記プレビュー画像の少なくとも一部を非表示にする、
ことを特徴とする請求項１〜請求項９のいずれか１項に記載の撮像装置。
【請求項１１】
前記撮像装置は、前記マナーモードを前記撮像装置の電源がＯＦＦされてＯＮされた後も引き継ぎ、
前記表示制御部は、前記撮像装置の電源がＯＮされたときに、前記撮像装置がマナーモードであることを警告する画像を前記表示画面に表示する、
ことを特徴とする請求項１〜請求項１０のいずれか１項に記載の撮像装置。
【請求項１２】
被写体を撮像する撮像装置の表示制御方法であって、
通常モードにおいて前記撮像している被写体を示すプレビュー画像を前記撮像装置が有する表示画面に表示するステップと、
前記撮像装置のモードを前記通常モードからマナーモードに切り替えるステップと、
前記マナーモードへの切り替え後は、前記表示画面において前記プレビュー画像を表示する領域を前記通常モードよりも減少させるとともに、当該減少分の領域の少なくとも一部において画像を非表示にするステップと、
を備えることを特徴とする表示制御方法。
【請求項１３】
被写体を撮像する撮像装置の表示制御プログラムであって、
通常モードにおいて前記撮像している被写体を示すプレビュー画像を前記撮像装置が有する表示画面に表示する処理と、
前記撮像装置のモードを前記通常モードからマナーモードに切り替える処理と、
前記マナーモードへの切り替え後は、前記表示画面において前記プレビュー画像を表示する領域を前記通常モードよりも減少させるとともに、当該減少分の領域の少なくとも一部において画像を非表示にする処理と、
を前記撮像装置に実行させることを特徴とする表示制御プログラム。
【発明の詳細な説明】
【技術分野】
【０００１】
本発明は、被写体を撮像する撮像装置、表示制御方法及び表示制御プログラムに関し、特に被写体の撮像に際して、撮像している被写体のプレビュー画像を表示する撮像装置、表示制御方法及び表示制御プログラムに関する。
【背景技術】
【０００２】
例えば、子供のピアノや演劇の発表会などの様にイベント会場が暗い環境でデジタルビデオカメラによる撮像を行った場合、その撮像に使用されるデジタルビデオカメラから発せられる光や音が周囲の他の人間の迷惑となるケースがある。このような暗い環境化で撮像に使用されるデジタルビデオカメラによる発光は以前から問題視されている。
【０００３】
一方で、最近のデジタルビデオカメラはビューファインダを搭載していないモデルが多く、このようなモデルでは、ＬＣＤ（Liquid Crystal Display）モニタで被写体を確認しつつ撮像を行うことになる。しかし、ＬＣＤモニタのバックライトの光量は明るく、周辺に与える影響は大きい。このような問題に対して、特許文献１及び２には、バックライトの明るさを低下させる技術が開示されている。
【０００４】
特許文献１には、加速度センサから出力された加速度の値が閾値を超えている場合に、映画館用マナーモード又は美術館用マナーモードのうちいずれか一方に切り替える携帯通信端末が開示されている。この携帯通信端末は、映画館用マナーモードでは、バックライトの輝度を通常よりも低くする。また、特許文献２には、周辺の明るさが基準の明るさと比べて暗いことを検出した場合に、バックライトの照度を低下させる撮影装置が開示されている。
【先行技術文献】
【特許文献】
【０００５】
【特許文献１】特許第４４６３７３４号公報
【特許文献２】特開２００６−１３３２９５号公報
【発明の概要】
【発明が解決しようとする課題】
【０００６】
しかしながら、デジタルビデオカメラによる撮像は周辺に影響を与えないほどＬＣＤモニタのバックライトの発光量（輝度）を低下させてしまうと、被写体を確認することが困難になってしまい、ユーザーが撮像をしにくくなってしまうという課題がある。
【０００７】
本発明は、上述したような課題を解決するために、撮像状況の確認容易性の低下を抑制しつつ、被写体の撮像時における周辺への影響を低減することができる撮像装置、表示制御方法及び表示制御プログラムを提供することを目的とする。
【課題を解決するための手段】
【０００８】
本発明の第１の態様にかかる撮像装置は、被写体を撮像する撮像装置であって、表示画面を有する表示部と、前記撮像している被写体を示すプレビュー画像を前記表示画面に表示する表示制御部と、を備え、前記撮像装置は、通常モードとマナーモードとに切り替え可能であり、前記表示制御部は、前記マナーモードである場合、前記表示画面において前記プレビュー画像を表示する領域を前記通常モードよりも減少させるとともに、当該減少分の領域の少なくとも一部において画像を非表示にする、ことを特徴とするものである。
【０００９】
本発明の第２の態様にかかる表示制御方法は、通常モードにおいて前記撮像している被写体を示すプレビュー画像を前記撮像装置が有する表示画面に表示するステップと、前記撮像装置のモードを前記通常モードからマナーモードに切り替えるステップと、前記マナーモードへの切り替え後は、前記表示画面において前記プレビュー画像を表示する領域を前記通常モードよりも減少させるとともに、当該減少分の領域の少なくとも一部において画像を非表示にするステップと、を備えることを特徴とするものである。
【００１０】
本発明の第３の態様にかかる表示制御プログラムは、通常モードにおいて前記撮像している被写体を示すプレビュー画像を前記撮像装置が有する表示画面に表示する処理と、前記撮像装置のモードを前記通常モードからマナーモードに切り替える処理と、前記マナーモードへの切り替え後は、前記表示画面において前記プレビュー画像を表示する領域を前記通常モードよりも減少させるとともに、当該減少分の領域の少なくとも一部において画像を非表示にする処理と、を前記撮像装置に実行させることを特徴とするものである。
【発明の効果】
【００１１】
本発明の上述した各態様によれば、撮像状況の確認容易性の低下を抑制しつつ、被写体の撮像時における周辺への影響を低減することができる撮像装置、表示制御方法及び表示制御プログラムを提供することができる。
【図面の簡単な説明】
【００１２】
【図１】本発明の実施の形態１にかかるデジタルビデオカメラの構成図である。
【図２】本発明の実施の形態１にかかるビデオ・オーディオ信号処理部の構成図である。
【図３】本発明の実施の形態１にかかるデジタルビデオカメラの動作を示すフローチャートである。
【図４Ａ】本発明の実施の形態１における通常モードでのプレビュー画像の表示例を示す図である。
【図４Ｂ】本発明の実施の形態１におけるマナーモードでのプレビュー画像の表示例を示す図である。
【図５】本発明の実施の形態１におけるコーションの表示例を示す図である。
【図６】本発明の実施の形態２にかかるビデオ・オーディオ信号処理部の構成図である。
【図７】本発明の実施の形態２におけるマナーモードでのプレビュー画像の表示例を示す図である。
【図８】本発明の実施の形態３にかかるビデオ・オーディオ信号処理部の構成図である。
【図９Ａ】本発明の実施の形態３における通常モードでのプレビュー画像の表示例を示す図である。
【図９Ｂ】本発明の実施の形態３におけるマナーモードでのプレビュー画像の表示例を示す図である。
【図１０】本発明の実施の形態４にかかるビデオ・オーディオ信号処理部の構成図である。
【図１１Ａ】本発明の実施の形態４における通常モードでのプレビュー画像の表示例を示す図である。
【図１１Ｂ】本発明の実施の形態４におけるマナーモードでのプレビュー画像の表示例を示す図である。
【図１２】本発明の実施の形態５にかかるビデオ・オーディオ信号処理部の構成図である。
【図１３】本発明の実施の形態５におけるマナーモードでのプレビュー画像の表示例を示す図である。
【図１４】本発明の実施の形態６にかかるビデオ・オーディオ信号処理部の構成図である。
【図１５】本発明の実施の形態６におけるマナーモードでのプレビュー画像の表示例を示す図である。
【図１６】本発明の実施の形態７にかかるビデオ・オーディオ信号処理部の構成図である。
【図１７】本発明の実施の形態７におけるマナーモードでのプレビュー画像の表示例を示す図である。
【図１８】本発明の実施の形態８にかかるビデオ・オーディオ信号処理部の構成図である。
【図１９】本発明の実施の形態８におけるマナーモードでの枠画像の表示例を示す図である。
【発明を実施するための形態】
【００１３】
＜発明の実施の形態１＞
図１を参照して、本発明の実施の形態１にかかるデジタルビデオカメラ１について説明する。図１は、本発明の実施の形態１にかかるデジタルビデオカメラ１の構成図である。
【００１４】
デジタルビデオカメラ１は、レンズ１１、素子１２、カメラ制御部１３、ビデオ・オーディオ信号処理部１４、ＬＣＤモニタ１５、出力部１６、ライト１７、フラッシュ発光部１８、ＡＦ（Auto Focus）補助光発光部１９、スピーカ２０、ユーザーインターフェース部（以下、「ＵＩ部」とする）２１、内蔵メモリ２２、不揮発性メモリ２３、及び記録メディア２４を有する。
【００１５】
デジタルビデオカメラ１は、静止画像を撮像する静止画像撮像モードと、動画像を撮像する動画像撮像モードとに切り替えが可能である。さらに、デジタルビデオカメラ１は、静止画像撮像モード及び動画像撮像モードのそれぞれで、通常モードと、マナーモードとに切り替えが可能である。マナーモードは、通常モードよりも、音の出力及び光の発光を抑えたモードである。
【００１６】
レンズ１１は、被写体の像を素子１２に結像する。素子１２は、レンズ１１によって結像された光像を光電変換して電気信号を生成する撮像素子である。素子１２は、例えば、ＣＣＤ（Charge Coupled Device）イメージセンサ又はＣＭＯＳ（Complementary Metal Oxide Semiconductor）イメージセンサ等である。カメラ制御部１３は、素子１２を制御して、素子１２が生成した電気信号を取得する。カメラ制御部１３は、取得した信号からフォーカス、ホワイトバランス、露出など記録映像が適正な状態になるよう制御を行う。
【００１７】
ビデオ・オーディオ信号処理部１４は、ＣＰＵ（Central Processing Unit）を含む。すなわち、以降に説明するビデオ・オーディオ信号処理部１４における処理は、厳密には、ＣＰＵが実行する。ビデオ・オーディオ信号処理部１４は、ＣＰＵの他に、内蔵メモリ２２含むマイクロコントローラとして構成されていてもよい。
【００１８】
ビデオ・オーディオ信号処理部１４は、カメラ制御部１３が取得した信号を、撮像した被写体の画像を示す画像データとして内蔵メモリ２２に一時的に格納する。ビデオ・オーディオ信号処理部１４は、通常モードでは、一時的に内蔵メモリ２２に格納された画像データをＬＣＤモニタ１５に出力する。上述したカメラ制御部１３による画像データの生成と、このビデオ・オーディオ信号処理部１４による画像データのＬＣＤモニタ１５への出力は、随時行われる。これによって、現在撮像されている被写体を示すプレビュー画像がＬＣＤモニタ１５に表示されることになる。ユーザは、このプレビュー画像によって、撮像状況を把握することができる。具体的には、動画像の撮像時には、どのような被写体を撮像しているかを把握することができ、静止画像の撮像時には、どのような被写体を撮像することができるのかを把握することができる。ここで、ビデオ・オーディオ信号処理部１４は、画像データをＬＣＤモニタ１５に出力する前に、必要に応じて、画像データに対して、補正等の任意の画像処理を行うようにしてもよい。
【００１９】
ビデオ・オーディオ信号処理部１４は、マナーモードである場合、後述するように、内蔵メモリ２２に格納された画像データに基づいて、一部を非表示にした画像を示す画像データを生成する。そして、ビデオ・オーディオ信号処理部１４は、元の画像データに代えて、新たに生成した画像データをＬＣＤモニタ１５に出力する。これによれば、ＬＣＤモニタ１５の表示画面においてプレビュー画像を表示する領域を通常モードよりも減少させて、減少させた分の領域を非表示にすることができる。すなわち、ＬＣＤモニタ１５のバックライトの発光量（輝度）を低下させることなく、ＬＣＤモニタ１５の明るさを低下させて、周辺への影響を低減することができる。
【００２０】
また、ビデオ・オーディオ信号処理部１４は、動画像撮像モードであり、かつ撮像動作中である場合、随時、内蔵メモリ２２に格納される画像データをエンコードし、撮像データとして記録メディア２４に格納する。また、ビデオ・オーディオ信号処理部１４は、静止画撮像モードである場合、ユーザーによる撮像操作時に内蔵メモリ２２に格納された画像データを、撮像画像データとして記録メディア２４に格納する。ビデオ・オーディオ信号処理部１４は、表示制御部としても機能する。
【００２１】
ＬＣＤモニタ１５は、ビデオ・オーディオ信号処理部１４から出力された画像データに基づいて、その画像データが示す画像を表示するＬＣＤパネルである。ＬＣＤモニタ１５は、バックライトを有する。ＬＣＤモニタ１５は、バックライトを発光させることによってその表示画面に画像を表示する。ＬＣＤモニタ１５は、表示部として機能する。
【００２２】
出力部１６は、ビデオ・オーディオ信号処理部１４からの指示に応じて、画像データを外部に出力する。すなわち、出力部１６は、ＲＣＡ端子及びＨＤＭＩ（High Definition Multimedia Interface）端子等のＡＶ端子を含む。ライト１７は、ビデオ・オーディオ信号処理部１４からの指示に応じて点灯又は消灯する。ライト１７は、動画像撮像モード時に制御されるビデオライトである。フラッシュ発光部１８は、ビデオ・オーディオ信号処理部１４からの指示に応じてフラッシュを発光する。ＡＦ補助光発光部１９は、被写体に対してオートフォーカスを行うための補助光を発光する。ＡＦ補助光発光部１９は、ビデオ・オーディオ信号処理部１４からの指示に応じて点灯又は消灯する。フラッシュ発光部１８及びＡＦ補助光発光部１９は、静止画像撮像モード時に使用される。スピーカ２０は、ビデオ・オーディオ信号処理部１４からの指示に応じて、ＵＩ部２１で設定された操作音、シャッター音、及び、デモンストレーションモードにおける音声等を出力する。
【００２３】
ＵＩ部２１は、ユーザーからの入力を受ける。ＵＩ部２１は、物理的な操作ボタン及びタッチパネル等の入力装置を含む。なお、厳密には、タッチパネルは、ＬＣＤモニタ１５と一体的に備えられることになる。ＵＩ部２１は、操作ボタンとして、例えば、動画像撮像モードと静止画像撮像モードとを切り替える撮像モード切り替えボタン、通常モードとマナーモードとを切り替えるマナーモード切り替えボタン、静止画像撮像モードにおいて静止画像の撮像を指示する静止画像撮像ボタン、及び、動画像撮像モードにおいて動画像の撮像開始／撮像終了を指示する動画像撮像ボタン等を含む。ＵＩ部２１は、ユーザーからの入力に応じて、その入力内容を示す入力情報をビデオ・オーディオ信号処理部１４に出力する。ビデオ・オーディオ信号処理部１４は、入力情報の内容に応じて、モードの切り替え及び撮像データの記録メディア２４への記録等を行う。
【００２４】
ここで、撮像モード切り替えボタン及びマナーモード切り替えボタンには、モードＬＥＤ（Light Emitting Diode）が組み込まれている。モードＬＥＤは、現在のモードに応じて、点灯又は消灯する。また、モードＬＥＤは、現在のモードに応じた色で点灯するようにしてもよい。具体的には、モードＬＥＤは、モード切り替え時に発行されるビデオ・オーディオ信号処理部１４からの指示に応じて、点灯／消灯の切り替え又は点灯する色の変更を行う。ビデオ・オーディオ信号処理部１４は、ＵＩ部２１からのマナーモード切り替えボタンが押下されたことを示す入力情報に応じて、通常モード及びマナーモード間のモードの切り替えを行うとともに、マナーモード切り替えボタンに組み込まれたモードＬＥＤに対する指示を行う。撮像モード切り替えボタンに関しても、動画像撮像モード及び静止画像撮像モード間のモードの切り替え、及び、撮像切り替えボタンのモードＬＥＤに対する指示が同様にして行われる。
【００２５】
内蔵メモリ２２は、例えば、ＤＲＡＭ（Static Random Access Memory）又はＤＲＡＭ（Dynamic Random Access Memory）等の揮発性メモリから構成される。内蔵メモリ２２には、上述したように画像データが格納される。ビデオ・オーディオ信号処理部１４は、内蔵メモリ２２を利用して、各種画像データに対する画像処理を行う。
【００２６】
不揮発性メモリ２３は、各種設定情報が格納される。不揮発性メモリ２３は、例えば、フラッシュメモリである。なお、各種設定情報を格納する記憶装置は、不揮発性の記憶装置であれば不揮発性メモリ２３に限られず、不揮発性メモリ２３に代えてハードディスクを使用するようにしてもよい。不揮発性メモリ２３には、設定情報として、例えば、動画像撮像モードか静止画像撮像モードかを示す設定情報、マナーモードの有効／無効を示す設定情報、及び、マナーモードでの音又は光の抑制対象を示す設定情報等が格納される。なお、モードに関する設定情報は、モードの切り替え時にビデオ・オーディオ信号処理部１４によって更新される。
【００２７】
記録メディア２４は、ＳＤカード、ＳＤＨＣカード、及び、ＳＤＸＣカード等のメモリーカードである。記録メディア２４は、ビデオ・オーディオ信号処理部１４によって、画像データが格納される。具体的には、ビデオ・オーディオ信号処理部１４は、静止画像撮像モードである場合、ＵＩ部２１からの静止画像撮像ボタンが押下されたことを示す入力情報に応じて、カメラ制御部１３によって生成された画像データを、静止画像を示す静止画像データとして記録メディア２４に格納する。ビデオ・オーディオ信号処理部１４は、動画像撮像モードである場合、ＵＩ部２１からの動画像撮像ボタンが押下されたことを示す入力情報に応じて、上述した撮像動作を開始して、動画像データを生成しつつ、記録メディア２４に格納していく。そして、ビデオ・オーディオ信号処理部１４は、さらなるＵＩ部２１からの撮像ボタンが押下されたことを示す入力情報に応じて、撮像動作を停止して、動画像データの生成及び記録メディア２４への格納を終了する。
【００２８】
続いて、図２を参照して、本発明の実施の形態１にかかるビデオ・オーディオ信号処理部１４についてより詳細に説明する。図２は、本発明の実施の形態１にかかるビデオ・オーディオ信号処理部１４の構成図である。
【００２９】
ビデオ・オーディオ信号処理部１４は、画像縮小処理部１４１及び非表示処理部１４２を有する。画像縮小処理部１４１及び非表示処理部１４２は、マナーモード時に動作する。
【００３０】
画像縮小処理部１４１は、内蔵メモリ２２に格納された画像データに基づいて、その画像データが示す画像を所定のサイズまで縮小した画像を示す画像データを生成する。なお、画像の縮小率は、任意の値を予め定めてよい。例えば、元の画像サイズの１／４のサイズとなるように縮小するようにする。縮小率は、例えば、不揮発性メモリ２３に予め格納しておき、画像縮小処理部１４１がそれを参照することによって認識するようにする。
【００３１】
非表示処理部１４２は、画像縮小処理部１４１が生成した画像データに基づいて、その画像データが示す画像のうち、非表示にする領域を黒色で塗りつぶした画像を示す画像データを生成する。本実施の形態１では、非表示処理部１４２は、画像縮小処理部１４１によって生成された画像データに基づいて、画像縮小処理部１４１によって縮小された画像の領域を除いた領域を黒色で塗りつぶした画像を示す画像データを生成する。例えば、不揮発性メモリ２３に黒色のデータを予め格納しておき、非表示処理部１４２がそれを取得して、取得した黒色のデータによって画像データの非表示とする領域に対応するデータ部分を埋めることによって、非表示の領域を生成する。
【００３２】
ここで、ＬＣＤモニタ１５のようなバックライトによって画像を表示する表示装置では、一般的に、表示画面の全体でしか消灯・点灯を切り替えることができず、表示画面の一部のみ消灯・点灯を切り替えることはできない。そのため、明るさを低下させることができる黒色で塗りつぶすことによって、非表示の領域を表現している。
【００３３】
なお、非表示の領域として表現される色は、黒色に限られず、明るさを低下させることができる色であれば任意の色を予め定めてもよい。すなわち、非表示の色として、画像の明るさを低減することができる程度に暗い色であれば、黒色の他に灰色等の任意の色を定めることができる。すなわち、非表示の色として使用される黒色は、原色の黒色に限られず、濃い灰色であってもよい。しかしながら、好ましくは、画像の明るさを低減するためには、原色の黒色を採用するとよい。
【００３４】
ビデオ・オーディオ信号処理部１４は、マナーモード時には、このようにして、非表示処理部１４２によって生成された画像データをＬＣＤモニタ１５に出力する。これによって、画像が表示される領域を低減したプレビュー画像がＬＣＤモニタ１５の表示画面に表示される。なお、ＬＣＤモニタ１５の消灯・点灯は、ビデオ・オーディオ信号処理部１４によって切り替え可能である。すなわち、ＬＣＤモニタ１５は、ビデオ・オーディオ信号処理部１４からの指示に応じて、バックライトの点灯又は消灯を行う。ビデオ・オーディオ信号処理部１４は、ＬＣＤモニタ１５を点灯状態にして、プレビュー画像を表示する。
【００３５】
続いて、図３を参照して、本実施の形態１にかかるデジタルビデオカメラ１の動作について説明する。図３は、本実施の形態１にかかるデジタルビデオカメラ１の動作を示すフローチャートである。ここでは、最初に、デジタルビデオカメラ１が通常モードであるものとして説明する。
【００３６】
まず、ユーザーは、デジタルビデオカメラ１のマナーモードをオンにする前に、ＵＩ部２１を介して、マナーモードでの音又は光の抑制対象を自身の撮像環境に合わせて設定することが可能である（Ｓ１）。具体的には、ユーザーは、ＵＩ部２１に対して、音関連の各項目と、光関連の各項目について、マナーモード時の制御を有効とするか無効とするかを設定する入力を行う。音関連の項目には、操作音、シャッター音、及び、デモンストレーションモードにおける音声等が含まれる。光関連の項目には、ライト、フラッシュ、ＡＦ補助光、ＬＣＤ、モードＬＥＤ、及び、オープニング表示等が含まれる。ユーザーは、各項目について有効又は無効を設定する入力をＵＩ部２１に対して行う。ＵＩ部２１は、その入力内容を示す入力情報をビデオ・オーディオ信号処理部１４に出力する。ビデオ・オーディオ信号処理部１４は、入力情報に応じて、不揮発性メモリ２３に格納された、各項目の有効／無効を示す設定情報を更新する。これらの設定内容は、不揮発性メモリ２３に格納されているため、デジタルビデオカメラ１の電源をオフにしても保持される。また、これらの設定内容は、マナーモードのオンオフ後も継続して保持される。
【００３７】
ユーザーによって、マナーモードをオンにする操作が行われた場合、デジタルビデオカメラ１は、通常モードからマナーモードに切り替わる（Ｓ２）。具体的には、ユーザーは、マナーモードに切り替えるとき、ＵＩ部２１に含まれるマナーモード切り替えボタンを押下する。ＵＩ部２１は、マナーモード切り替えボタンの押下に応じて、その内容を示す入力情報をビデオ・オーディオ信号処理部１４に出力する。ビデオ・オーディオ信号処理部１４は、マナーモード操作ボタンが押下されたことを示す入力情報に応じて、デジタルビデオカメラ１をマナーモードに切り替える。このとき、ビデオ・オーディオ信号処理部１４は、不揮発性メモリ２３に格納された、マナーモードの有効／無効を示す設定情報を、「有効」を示すように更新する。
【００３８】
ビデオ・オーディオ信号処理部１４は、マナーモードに切り替えた場合、抑制対象として設定されている項目に対して、音又は光を抑制する制御を行う。音に関しては、ビデオ・オーディオ信号処理部１４は、操作音、シャッター音、及び、デモンストレーションモードにおける音声を強制出力抑止状態にする。すなわち、ビデオ・オーディオ信号処理部１４は、ＵＩ部２１の操作ボタンが押下されたときにおけるスピーカ２０に対する出力指示、及び、デモンストレーションモードにおけるスピーカ２０に対する音声の出力指示を抑止する。また、ビデオ・オーディオ信号処理部１４は、静止画像撮像モードである場合は、撮像ボタンが押下されたときにおけるスピーカ２０に対するシャッター音の出力指示を抑止する。これらの出力指示は、通常モードでは抑止されることなく行われることになる。なお、これらの強制出力抑止状態への切り替えは、ビデオ・オーディオ信号処理部１４が不揮発性メモリ２３から設定情報を読み出し、読み出した設定情報において有効に設定されている項目に対して行う。
【００３９】
光に関しては、ビデオ・オーディオ信号処理部１４は、ライト、フラッシュ、及びＡＦ補助光を強制非発光状態にする制御を行う。具体的には、ビデオ・オーディオ信号処理部１４は、動画像撮像モードである場合は、ライト１７に対して消灯を指示し、静止画像撮像モードである場合は、ＡＦ補助光発光部１９に対してＡＦ補助光の消灯を指示する。また、ビデオ・オーディオ信号処理部１４は、ＵＩ部２１に対して、モード切り替え操作ボタンに組み込まれたモードＬＥＤの消灯を指示する。さらに、ビデオ・オーディオ信号処理部１４は、静止画像撮像モードである場合は、撮像ボタンが押下されたときにおけるフラッシュ発光部１８に対する発光指示を抑止する。なお、これらの強制非発光状態への切り替えは、ビデオ・オーディオ信号処理部１４が不揮発性メモリ２３から設定情報を読み出し、読み出した設定情報において有効に設定されている項目に対して行う。
【００４０】
また、光に関しては、さらにビデオ・オーディオ信号処理部１４は、プレビュー画像を子画面表示にする（Ｓ３）。すなわち、ビデオ・オーディオ信号処理部１４は、画像縮小処理部１４１及び非表示処理部１４２によって生成された、縮小されたプレビュー画像を示す画像データをＬＣＤモニタ１５に出力する。この画像データが示すプレビュー画像は、上述したように、縮小前のプレビュー画像から縮小後のプレビュー画像を差し引いた分の領域が非表示の色に塗りつぶされている。すなわち、プレビュー画像を表示する領域を減少させた分の領域は、画像が非表示にされる。例えば、通常モードでは、図４Ａに例示するようなプレビュー画像が表示されるような場合には、マナーモードでは、図４Ｂに例示するように、通常モード時のプレビュー画像が縮小されたプレビュー画像が表示されるようになる。そのため、ＬＣＤモニタ１５において、バックライトの発光量（輝度）を低下させることなく、明るさを低下させたプレビュー画像を表示して、周辺への影響を低減することができる。なお、この子画面表示への切り替えは、ビデオ・オーディオ信号処理部１４が不揮発性メモリ２３からＬＣＤに関する設定情報を読み出し、読み出した設定情報が有効に設定されている場合に行う。
【００４１】
ここで、マナーモード中であっても、ＬＣＤモニタ１５を一時的に通常表示にしたい場合もある。そこで、マナーモードを継続しているときに、ユーザーからＵＩ部２１の操作ボタン又はタッチパネルに対する操作が行われた場合（Ｓ４：操作あり）、ＬＣＤモニタ１５の表示画面の表示を一時的に通常モード時と同様の通常表示状態に戻す（Ｓ５）。具体的には、ビデオ・オーディオ信号処理部１４は、マナーモード中におけるＵＩ部２１から入力情報に応じて、それから一定時間の間、通常モードと同様に、画像データを内蔵メモリ２２から取得してＬＣＤモニタ１５に出力するようにする。これによって、図４Ａに例示するようなプレビュー画像が表示されるようになる。このとき、他の音又は光を抑制している項目に関しても、同様にして一時的に通常状態に戻すようにしてもよい。一方、ユーザーからＵＩ部２１の操作ボタン又はタッチパネルに対する操作がない場合は（Ｓ４：操作なし）、マナーモードを継続する（Ｓ７）。
【００４２】
そして、一定時間が経過したとき、ビデオ・オーディオ信号処理部１４は、プレビュー画像を子画面表示に戻す（Ｓ６）。すなわち、マナーモード時の動作状態に戻る（Ｓ７）。なお、一定時間として、例えば、１０秒等の任意の時間を予め定めるようにしてよい。
【００４３】
マナーモード時に、ユーザーがデジタルビデオカメラ１の電源をＯＦＦにして（Ｓ８）、再び電源をＯＮ（Ｓ９）にした場合、ビデオ・オーディオ信号処理部１４は、コーション（警告表示）を表示する（Ｓ１０）。例えば、図５に例示するようなコーションを表示する。具体的には、ビデオ・オーディオ信号処理部１４は、デジタルビデオカメラ１の電源がＯＮにされて、デジタルビデオカメラ１が起動したときに、不揮発性メモリ２３からマナーモードの設定情報を読み出す。そして、ビデオ・オーディオ信号処理部１４は、設定情報が「有効」示しており、マナーモードが有効となっている場合、コーションを示す画像データをＬＣＤモニタ１５に出力する。これによって、ＬＣＤモニタ１５の表示画面にコーションが表示される。コーションを示す画像データは、例えば、不揮発性メモリ２３に格納しておき、ビデオ・オーディオ信号処理部１４が読み出して使用するようにする。
【００４４】
ここで、コーションの表示に代えて、マナーモードである場合には、操作ボタンに組み込まれたモードＬＥＤを低い発光量（輝度）で表示するにしてもよい。これによれば、暗い場所であっても、操作ボタンの把握を容易にして、操作性を向上することもできる。
【００４５】
このようにすることで、デジタルビデオカメラ１がマナーモードの状態で電源ＯＦＦにされた後、ユーザーが久しぶりにデジタルビデオカメラ１を使用しようとして電源ＯＮにしたときであっても、子画面表示されたプレビュー画像を見たユーザーが、デジタルビデオカメラ１が故障していると誤解を招かないようにすることができる。
【００４６】
すなわち、デジタルビデオカメラ１は、電源のＯＦＦ・ＯＮを経由して、マナーモードを引き継ぐ（Ｓ１１）。具体的には、ビデオ・オーディオ信号処理部１４は、デジタルビデオカメラ１が起動したときに不揮発性メモリ２３から読み出したマナーモードの設定情報が「有効」を示している場合、抑制対象として設定されている項目に対して、音又は光を抑制する制御を継続して行う。
【００４７】
ここで、通常モードでは、デジタルビデオカメラ１の電源がＯＮにされたときには、ＬＣＤモニタ１５の表示画面にオープニング表示を表示する。しかしながら、一般的に、オープニング表示は、会社のロゴの表示等を含む派手なアニメーション表示である場合が多い。そのため、ビデオ・オーディオ信号処理部１４は、デジタルビデオカメラ１の電源がＯＮにされたときに、上述したようにマナーモードが有効となっていると判定した場合、オープニング表示の表示を抑止する。なお、このオープニング表示の抑止は、ビデオ・オーディオ信号処理部１４が不揮発性メモリ２３からオープニング表示に関する設定情報を読み出し、読み出した設定情報が有効に設定されている場合に行う。
【００４８】
以上に説明したように、本実施の形態１では、マナーモードである場合、プレビュー画像を縮小することによって、表示画面においてプレビュー画像を表示する領域を通常モードよりも減少させるとともに、減少分の領域において画像を非表示にするようにしている。これによれば、バックパネルの発光量（輝度）を低下させることなく、表示画面の明るさを低下させることができる。よって、表示画面の発光量（輝度）が低下することによって、被写体を確認することが困難となってしまうという事態を防止することができる。すなわち、撮像状況の確認容易性の低下を抑制しつつ、被写体の撮像時における周辺への影響を低減することができる。
【００４９】
また、本実施の形態１では、プレビュー画像を縮小することによって、マナーモードにおいても、通常モードにおいて表示されるプレビュー画像全体を表示するようにしている。そのため、この点においても、撮像状況の確認容易性の低下を抑制することができる。
【００５０】
＜発明の実施の形態２＞
続いて、本発明の実施の形態２について説明する。本発明の実施の形態２にかかるデジタルビデオカメラ１の構成は、図１を参照して説明した実施の形態１にかかるデジタルビデオカメラ１の構成と同様であるため、説明を省略する。本実施の形態２にかかるデジタルビデオカメラ１の動作についても、図３を参照して説明した本実施の形態１にかかるデジタルビデオカメラ１の動作と同様であるため、説明を省略する。以降も、実施の形態１と同様の内容については、適宜、その説明を省略する。
【００５１】
続いて、図６を参照して、本発明の実施の形態２にかかるビデオ・オーディオ信号処理部１４についてより詳細に説明する。図６は、本発明の実施の形態２にかかるビデオ・オーディオ信号処理部１４の構成図である。本実施の形態２にかかるビデオ・オーディオ信号処理部１４は、実施の形態１にかかるビデオ・オーディオ信号処理部１４と比較して、画像縮小処理部１４１に代えて、顔認識処理部１４３を有する点が異なる。
【００５２】
顔認識処理部１４３は、顔認識を行う。具体的には、顔認識処理部１４３は、カメラ制御部１３によって内蔵メモリ２２に格納された画像データに基づいて、その画像データが示す画像において人物の顔を認識する。ここで、顔認識の方法として、一般的な技術を利用してよい。本実施の形態２では、マナーモード時に、顔認識処理部１４３が顔として認識した領域を、プレビュー画像を表示する領域として決定する。すなわち、顔認識処理部１４３が顔として認識した領域を除いた領域が非表示にする領域となる。したがって、非表示処理部１４２は、画像データが示す画像のうち、顔認識処理部１４３が顔として認識した領域を除いた領域を非表示の色で塗りつぶした画像データを生成する。
【００５３】
ビデオ・オーディオ信号処理部１４は、マナーモード時には、このようにして、非表示処理部１４２によって生成された画像データをＬＣＤモニタ１５に出力する。これによって、Ｓ３、Ｓ６、Ｓ７、Ｓ１１等のマナーモードの状態では、画像が表示される領域を、顔として認識された領域のみに減少させたプレビュー画像がＬＣＤモニタ１５の表示画面に表示される。例えば、図７に例示するように、顔認識された領域のみが表示されるようになる。なお、図７の例に限られず、画像中に複数の人物が含まれる場合は、それぞれの人物について顔認識された領域を表示するようにしてもよい。
【００５４】
以上に説明したように、本実施の形態２では、マナーモードである場合、通常モードよりも表示画面においてプレビュー画像を表示する領域を、顔認識された領域のみに減少させるとともに、減少分の領域において画像を非表示にするようにしている。これによれば、バックパネルの発光量（輝度）を低下させることなく、表示画面の明るさを低下させることができる。よって、表示画面の発光量（輝度）が低下することによって、被写体を確認することが困難となってしまうという事態を防止することができる。すなわち、撮像状況の確認容易性の低下を抑制しつつ、被写体の撮像時における周辺への影響を低減することができる。
【００５５】
ここで、一般的に、撮像をする場合には、撮像対象を人物とするケースが非常に多く存在する。それに対して、本実施の形態２では、顔認識された領域を表示するようにしているため、ユーザーが撮像対象を把握するために有効な画像が表示されることになる。そのため、この点においても、撮像状況の確認容易性の低下を抑制することができる。
【００５６】
＜発明の実施の形態３＞
続いて、本発明の実施の形態３について説明する。本発明の実施の形態３にかかるデジタルビデオカメラ１の構成は、図１を参照して説明した実施の形態１にかかるデジタルビデオカメラ１の構成と同様であるため、説明を省略する。本実施の形態３にかかるデジタルビデオカメラ１の動作についても、図３を参照して説明した本実施の形態１にかかるデジタルビデオカメラ１の動作と同様であるため、説明を省略する。以降も、実施の形態１と同様の内容については、適宜、その説明を省略する。
【００５７】
続いて、図８を参照して、本発明の実施の形態３にかかるビデオ・オーディオ信号処理部１４についてより詳細に説明する。図８は、本発明の実施の形態３にかかるビデオ・オーディオ信号処理部１４の構成図である。本実施の形態３にかかるビデオ・オーディオ信号処理部１４は、実施の形態１にかかるビデオ・オーディオ信号処理部１４と比較して、画像縮小処理部１４１に代えて、合焦処理部１４４を有する点が異なる。
【００５８】
合焦処理部１４４は、オートフォーカスを行う。具体的には、合焦処理部１４４は、内蔵メモリ２２に格納された画像データに基づいて、撮像した画像が合焦するようにレンズ１１を調整する。ここで、合焦の方法として、一般的な技術を利用してよい。本実施の形態３では、マナーモード時に、合焦処理部１４４がオートフォーカスにおいて合焦した領域を、プレビュー画像を表示する領域として決定する。すなわち、合焦した領域を除いた領域が非表示にする領域となる。したがって、非表示処理部１４２は、画像データが示す画像のうち、合焦した領域を除いた領域を除いた領域を非表示の色で塗りつぶした画像データを生成する。
【００５９】
ビデオ・オーディオ信号処理部１４は、マナーモード時には、このようにして、非表示処理部１４２によって合焦した領域以外を非表示にされた画像をＬＣＤモニタ１５に出力する。これによって、Ｓ３、Ｓ６、Ｓ７、Ｓ１１等のマナーモードの状態では、画像が表示される領域を、合焦した領域のみに減少させたプレビュー画像がＬＣＤモニタ１５の表示画面に表示される。例えば、図９Ａに例示するように、人物を含む被写体を撮像しているときに、その人物を含む領域を合焦させた場合には、図９Ｂに示すように、合焦した領域のみが表示されるようになる。なお、図９Ｂの例に限られず、画像中の相互に離れた複数の領域が合焦する領域として決定された場合には、それぞれの領域を表示するようにしてもよい。
【００６０】
以上に説明したように、本実施の形態３では、マナーモードである場合、通常モードよりも表示画面においてプレビュー画像を表示する領域を、合焦した領域のみに減少させるとともに、減少分の領域において画像を非表示にするようにしている。これによれば、バックパネルの発光量（輝度）を低下させることなく、表示画面の明るさを低下させることができる。よって、表示画面の発光量（輝度）が低下することによって、被写体を確認することが困難となってしまうという事態を防止することができる。すなわち、撮像状況の確認容易性の低下を抑制しつつ、被写体の撮像時における周辺への影響を低減することができる。
【００６１】
ここで、一般的な合焦方法においては、合焦する領域は、例えば、人物のように撮像対象とされるものを含む領域が選択される可能性が高い。それに対して、本実施の形態３では、合焦した領域を表示するようにしているため、ユーザーが撮像対象を把握するために有効な画像が表示されることになる。そのため、この点においても、撮像状況の確認容易性の低下を抑制することができる。
【００６２】
＜発明の実施の形態４＞
続いて、本発明の実施の形態４について説明する。本発明の実施の形態４にかかるデジタルビデオカメラ１の構成は、図１を参照して説明した実施の形態１にかかるデジタルビデオカメラ１の構成と同様であるため、説明を省略する。本実施の形態４にかかるデジタルビデオカメラ１の動作についても、図３を参照して説明した本実施の形態１にかかるデジタルビデオカメラ１の動作と同様であるため、説明を省略する。以降も、実施の形態１と同様の内容については、適宜、その説明を省略する。
【００６３】
続いて、図１０を参照して、本発明の実施の形態４にかかるビデオ・オーディオ信号処理部１４についてより詳細に説明する。図１０は、本発明の実施の形態４にかかるビデオ・オーディオ信号処理部１４の構成図である。本実施の形態４にかかるビデオ・オーディオ信号処理部１４は、実施の形態１にかかるビデオ・オーディオ信号処理部１４と比較して、画像縮小処理部１４１に代えて、色追尾処理部１４５を有する点が異なる。
【００６４】
色追尾処理部１４５は、色追尾を行う。具体的には、色追尾処理部１４５は、カメラ制御部１３によって内蔵メモリ２２に格納された画像データに基づいて、撮像した画像において色を追尾しつつ、その追尾する色を含む領域が合焦するようにレンズ１１を調整する。ここで、色追尾の方法として、一般的な技術を利用してよい。本実施の形態４では、マナーモード時に、色追尾処理部１４５が色追尾している領域を、プレビュー画像を表示する領域として決定する。すなわち、色追尾処理部１４５が色追尾している領域を除いた領域が非表示にする領域となる。したがって、非表示処理部１４２は、画像データが示す画像のうち、色追尾処理部１４５が色追尾している領域を除いた領域を除いた領域を非表示の色で塗りつぶした画像データを生成する。
【００６５】
なお、色追尾処理部１４５は、ユーザーがＵＩ部２１のタッチパネルにおいてプレビュー画像に対して指定した位置における色を、追尾する色として決定する。具体的には、通常モード時又はＳ５における状態のときに、ユーザーからタッチパネルに対して追尾する色を指定する入力が行われた場合、ＵＩ部２１は、指定された位置を示す入力情報をビデオ・オーディオ信号処理部１４に出力する。そして、ビデオ・オーディオ信号処理部１４の色追尾処理部１４５は、内蔵メモリ２２に格納された画像データが示す画像における、入力情報が示す指定位置の色を、追尾する色として決定する。以降、色追尾処理部１４５は、その色（指定位置）を含む領域が合焦するように色追尾を行う。
【００６６】
ビデオ・オーディオ信号処理部１４は、マナーモード時には、このようにして、非表示処理部１４２によって生成された画像データをＬＣＤモニタ１５に出力する。これによって、Ｓ３、Ｓ６、Ｓ７、Ｓ１１等のマナーモードの状態では、画像が表示される領域を、色追尾している領域のみに減少させたプレビュー画像がＬＣＤモニタ１５の表示画面に表示される。例えば、動物（鳥）を含む被写体を撮像しているときに、その動物の体の色を、色追尾する色として指定した場合には、図１１Ａに例示するように、色追尾している領域のみが表示されるようになる。また、色追尾している動物が移動したときには、図１１Ｂに例示するように、プレビュー画像が表示される領域も、その移動に応じて変更されていくことになる。
【００６７】
以上に説明したように、本実施の形態４では、マナーモードである場合、通常モードよりも表示画面においてプレビュー画像を表示する領域を、色追尾している領域のみに減少させるとともに、減少分の領域において画像を非表示にするようにしている。これによれば、バックパネルの発光量（輝度）を低下させることなく、表示画面の明るさを低下させることができる。よって、表示画面の発光量（輝度）が低下することによって、被写体を確認することが困難となってしまうという事態を防止することができる。すなわち、撮像状況の確認容易性の低下を抑制しつつ、被写体の撮像時における周辺への影響を低減することができる。
【００６８】
ここで、一般的には、ユーザーは、撮像対象に対して色追尾の指定を行う。それに対して、本実施の形態４では、図１１Ａ及び図１１Ｂで示したように、ユーザーが指定した色追尾対象を含む領域を表示するようにしているため、撮像対象が移動する場合であっても、ユーザーが撮像対象を把握するために有効な画像が表示されることになる。そのため、この点においても、撮像状況の確認容易性の低下を抑制することができる。
【００６９】
＜発明の実施の形態５＞
続いて、本発明の実施の形態５について説明する。本発明の実施の形態５にかかるデジタルビデオカメラ１の構成は、図１を参照して説明した実施の形態１にかかるデジタルビデオカメラ１の構成と同様であるため、説明を省略する。本実施の形態５にかかるデジタルビデオカメラ１の動作についても、図３を参照して説明した本実施の形態１にかかるデジタルビデオカメラ１の動作と同様であるため、説明を省略する。以降も、実施の形態１と同様の内容については、適宜、その説明を省略する。
【００７０】
続いて、図１２を参照して、本発明の実施の形態５にかかるビデオ・オーディオ信号処理部１４についてより詳細に説明する。図１２は、本発明の実施の形態５にかかるビデオ・オーディオ信号処理部１４の構成図である。本実施の形態５にかかるビデオ・オーディオ信号処理部１４は、実施の形態１にかかるビデオ・オーディオ信号処理部１４と比較して、画像縮小処理部１４１に代えて、撮像表示処理部１４６を有する点が異なる。
【００７１】
撮像表示処理部１４６は、動画像の撮像動作中に、その旨を示す画像をプレビュー画像に重ね合わせる。具体的には、撮像表示処理部１４６は、内蔵メモリ２２に格納された画像データに基づいて、その画像データが示す画像に、撮像動作中であることを示す画像を重ね合わせた画像を示す画像データを生成する。本実施の形態５では、マナーモード時に、撮像動作中であることを示す画像の領域を、画像を表示する領域として決定する。すなわち、撮像動作中であることを示す画像の領域を除いた領域が非表示にする領域となる。したがって、非表示処理部１４２は、画像データが示す画像のうち、撮像動作中であることを示す画像を除いた領域を除いた領域を非表示の色で塗りつぶした画像を示す画像データを生成する。
【００７２】
ビデオ・オーディオ信号処理部１４は、マナーモード時には、このようにして、非表示処理部１４２によって生成された画像データをＬＣＤモニタ１５に出力する。これによって、Ｓ３、Ｓ６、Ｓ７、Ｓ１１等のマナーモードの状態では、画像が表示される領域を、撮像動作中であることを示す画像の領域のみに減少させた画像がＬＣＤモニタ１５の表示画面に表示される。例えば、図１３に例示するように、撮像動作中であることを示す画像のみが表示されるようになる。
【００７３】
以上に説明したように、本実施の形態５では、マナーモードである場合、動画像を記録している旨を示す画像の領域のみを表示するようにすることで、通常モードよりも表示画面においてプレビュー画像を表示する領域を減少させるとともに、減少分の領域において画像を非表示にするようにしている。これによれば、バックパネルの発光量（輝度）を低下させることなく、表示画面の明るさを低下させることができる。すなわち、被写体の撮像時における周辺への影響を低減することができる。このように、図１３に例示したように、マナーモードにおけるＬＣＤモニタ１５の画面表示は、記録状態や記録時間に関する文字表示のみにするなど必要最小限にすることも有効である。
【００７４】
また、本実施の形態５では、撮像動作中であることを示す画像を表示するようにしているため、表示画面の明るさを極力低下させつつも、ユーザーが動画像を記録中であるのか否かを把握することができる。そのため、動画像を記録中であるのか否かという撮像状況の確認容易性の低下を抑制することができる。
【００７５】
＜発明の実施の形態６＞
続いて、本発明の実施の形態６について説明する。本発明の実施の形態６にかかるデジタルビデオカメラ１の構成は、図１を参照して説明した実施の形態１にかかるデジタルビデオカメラ１の構成と同様であるため、説明を省略する。本実施の形態６にかかるデジタルビデオカメラ１の動作についても、図３を参照して説明した本実施の形態１にかかるデジタルビデオカメラ１の動作と同様であるため、説明を省略する。以降も、実施の形態１と同様の内容については、適宜、その説明を省略する。
【００７６】
続いて、図１４を参照して、本発明の実施の形態６にかかるビデオ・オーディオ信号処理部１４についてより詳細に説明する。図１４は、本発明の実施の形態６にかかるビデオ・オーディオ信号処理部１４の構成図である。本実施の形態６にかかるビデオ・オーディオ信号処理部１４は、実施の形態１にかかるビデオ・オーディオ信号処理部１４と比較して、画像縮小処理部１４１に代えて、指定領域取得処理部１４７を有する点が異なる。
【００７７】
指定領域取得処理部１４７は、ユーザーから指定された領域を取得する。具体的には、ユーザーからタッチパネルに対して領域を指定する入力が行われた場合、ＵＩ部２１は、指定された領域を示す入力情報をビデオ・オーディオ信号処理部１４に出力する。ここで、領域の指定は、どのような方法で指定させるようにしてもよい。指定の領域として、例えば、ユーザーがＵＩ部２１のタッチパネルに対してタッチした位置を中心とした所定サイズの領域としてもよく、ユーザーが操作ボタンによって表示画面に表示されたポインタを操作して指定した位置を中心として所定サイズの領域としてもよく、ユーザーがＵＩ部２１の十字ボタンによって表示画面が所定の数のマス目に区切られた複数の領域から選択した領域としてもよい。
【００７８】
指定領域取得処理部１４７は、ＵＩ部２１からの入力情報から、ユーザーから指定された領域の情報を取得する。本実施の形態６では、マナーモード時に、指定領域取得処理部１４７が取得した情報が示す領域を、プレビュー画像を表示する領域として決定する。すなわち、ユーザーから指定された領域を除いた領域が非表示にする領域となる。したがって、非表示処理部１４２は、画像データが示す画像のうち、指定領域取得処理部１４７が取得した情報に基づいて、ユーザーから指定された領域を除いた領域を除いた領域を非表示の色で塗りつぶした画像を示す画像データを生成する。
【００７９】
ビデオ・オーディオ信号処理部１４は、マナーモード時には、このようにして、非表示処理部１４２によって生成された画像データをＬＣＤモニタ１５に出力する。これによって、Ｓ３、Ｓ６、Ｓ７、Ｓ１１等のマナーモードの状態では、画像が表示される領域を、ユーザーから指定された領域のみに減少させたプレビュー画像がＬＣＤモニタ１５の表示画面に表示される。例えば、図１５に例示するように、ユーザーから指定された領域のみが表示されるようになる。なお、図１５では、ユーザーがポインタによって指定した領域を表示する例について示している。
【００８０】
以上に説明したように、本実施の形態６では、マナーモードである場合、通常モードよりも表示画面においてプレビュー画像を表示する領域を、ユーザーに指定された領域のみに減少させるとともに、減少分の領域において画像を非表示にするようにしている。これによれば、バックライトの発光量（輝度）を低下させることなく、表示画面の明るさを低下させることができる。よって、表示画面の発光量（輝度）が低下することによって、被写体を確認することが困難となってしまうという事態を防止することができる。すなわち、撮像状況の確認容易性の低下を抑制しつつ、被写体の撮像時における周辺への影響を低減することができる。
【００８１】
ここで、本実施の形態６では、ユーザーが所望する領域を表示するようにしているため、ユーザーによって見やすく、ユーザーが撮像対象を把握し易いプレビュー画像が表示されることになる。そのため、この点においても、撮像状況の確認容易性の低下を抑制することができる。
【００８２】
＜発明の実施の形態７＞
続いて、本発明の実施の形態７について説明する。本発明の実施の形態７にかかるデジタルビデオカメラ１の構成は、図１を参照して説明した実施の形態１にかかるデジタルビデオカメラ１の構成と同様であるため、説明を省略する。本実施の形態７にかかるデジタルビデオカメラ１の動作についても、図３を参照して説明した本実施の形態１にかかるデジタルビデオカメラ１の動作と同様であるため、説明を省略する。以降も、実施の形態１と同様の内容については、適宜、その説明を省略する。
【００８３】
続いて、図１６を参照して、本発明の実施の形態７にかかるビデオ・オーディオ信号処理部１４についてより詳細に説明する。図１６は、本発明の実施の形態７にかかるビデオ・オーディオ信号処理部１４の構成図である。本実施の形態７にかかるビデオ・オーディオ信号処理部１４は、実施の形態１にかかるビデオ・オーディオ信号処理部１４と比較して、画像縮小処理部１４１を有さない点が異なる。
【００８４】
本実施の形態７では、ＬＣＤモニタ１５の表示画面の中央を中心とした所定サイズの領域を、プレビュー画像を表示する領域とする。すなわち、ＬＣＤモニタ１５の表示画面の中央の領域を除いた領域が非表示にする領域となる。したがって、非表示処理部１４２は、画像データが示す画像のうち、表示画面の中央の領域を除いた領域を除いた領域を非表示の色で塗りつぶした画像を示す画像データを生成する。
【００８５】
ビデオ・オーディオ信号処理部１４は、マナーモード時には、このようにして、非表示処理部１４２によって生成された画像データをＬＣＤモニタ１５に出力する。これによって、Ｓ３、Ｓ６、Ｓ７、Ｓ１１等のマナーモードの状態では、画像が表示される領域を、表示画面の中央の領域のみに減少させたプレビュー画像がＬＣＤモニタ１５の表示画面に表示される。例えば、図１７に例示するように、表示画面の中央の領域のみが表示されるようになる。
【００８６】
以上に説明したように、本実施の形態７では、マナーモードである場合、通常モードよりも表示画面においてプレビュー画像を表示する領域を、表示画面の中央を中心とした所定サイズの領域のみに減少させるとともに、減少分の領域において画像を非表示にするようにしている。これによれば、バックライトの発光量（輝度）を低下させることなく、表示画面の明るさを低下させることができる。よって、表示画面の発光量（輝度）が低下することによって、被写体を確認することが困難となってしまうという事態を防止することができる。すなわち、撮像状況の確認容易性の低下を抑制しつつ、被写体の撮像時における周辺への影響を低減することができる。
【００８７】
また、本実施の形態７では、表示画面の中央の領域を表示するようにしている。一般的に、表示画面の中央は、ユーザーにとって見やすい領域となるため、ユーザーが撮像対象を把握し易いプレビュー画像が表示されることになる。そのため、撮像状況の確認容易性の低下を抑制することができる。また、プレビュー画像を表示する領域を決定する処理部が不要となるため、装置構成を簡易にすることができる。
【００８８】
＜発明の実施の形態８＞
続いて、本発明の実施の形態８について説明する。本発明の実施の形態８にかかるデジタルビデオカメラ１の構成は、図１を参照して説明した実施の形態１にかかるデジタルビデオカメラ１の構成と同様であるため、説明を省略する。本実施の形態８にかかるデジタルビデオカメラ１の動作についても、図３を参照して説明した本実施の形態１にかかるデジタルビデオカメラ１の動作と同様であるため、説明を省略する。以降も、実施の形態１と同様の内容については、適宜、その説明を省略する。
【００８９】
続いて、図１８を参照して、本発明の実施の形態８にかかるビデオ・オーディオ信号処理部１４についてより詳細に説明する。図１８は、本発明の実施の形態８にかかるビデオ・オーディオ信号処理部１４の構成図である。本実施の形態８にかかるビデオ・オーディオ信号処理部１４は、実施の形態３にかかるビデオ・オーディオ信号処理部１４と比較して、さらに、枠画像処理部１４８を有する点が異なる。
【００９０】
枠画像処理部１４８は、顔認識処理部１４３が顔として認識した領域の枠を示す枠画像をプレビュー画像に重ね合わせる。具体的には、枠画像処理部１４８は、カメラ制御部１３によって内蔵メモリ２２に格納された画像データに基づいて、その画像データが示す画像に枠画像を重ね合わせた画像を示す画像データを生成する。本実施の形態８では、マナーモード時に、枠画像のみを表示する領域として決定する。すなわち、枠画像の領域を除いた領域が非表示にする領域となる。したがって、非表示処理部１４２は、画像データが示す画像のうち、枠画像を除いた領域を除いた領域を非表示の色で塗りつぶした画像を示す画像データを生成する。なお、枠画像処理部１４８が枠画像のみを示す画像データを生成して、非表示処理部１４２がその画像データに基づいて非表示の色を塗りつぶした画像を示す画像データを生成するようにしてもよい。
【００９１】
ビデオ・オーディオ信号処理部１４は、マナーモード時には、このようにして、非表示処理部１４２によって生成された画像データをＬＣＤモニタ１５に出力する。これによって、Ｓ３、Ｓ６、Ｓ７、Ｓ１１等のマナーモードの状態では、画像が表示される領域を、枠画像のみに低減した画像がＬＣＤモニタ１５の表示画面に表示される。例えば、図７に例示するように、顔認識が行われる被写体を撮像している場合には、図１９に例示するように、枠画像が表示されることになる。
【００９２】
以上に説明したように、本実施の形態８では、マナーモードである場合、顔認識された領域の枠を示す枠画像の領域のみを表示するようにすることで、通常モードよりも表示画面においてプレビュー画像を表示する領域を減少させるとともに、減少分の領域において画像を非表示にするようにしている。これによれば、バックライトの発光量（輝度）を低下させることなく、表示画面の明るさを低下させることができる。よって、すなわち、被写体の撮像時における周辺への影響を低減することができる。
【００９３】
ここで、一般的に、撮像をする場合には、撮像対象を人物とするケースが非常に多く存在する。それに対して、本実施の形態８では、顔認識された領域の枠を表示するようにしているため、ユーザーが撮像対象を把握するために有効な画像が表示されることになる。そのため、撮像状況の確認容易性の低下を抑制することができる。
【００９４】
＜その他の実施の形態＞
上述したステップＳ１で、マナーモードでの抑制対象の有効／無効を設定可能としているが、ＬＣＤモニタ１５に関しては、同様にして、バックライトの発光量（輝度）を設定可能としてもよい。すなわち、マナーモード時にＬＣＤモニタ１５のバックライトを減光したときの発光量を設定可能としてもよい。そして、実施の形態１〜８のそれぞれにおいて、マナーモードでの表示領域の変更とともに、被写体を確認することが困難にならない程度にバックライトの発光量（輝度）を低下させるようにしてもよい。
【００９５】
また、マナーモードでの抑制対象において、ライト等の動画撮像に関する項目と、シャッター音、フラッシュ及びＡＦ補助光等の静止画撮像に関する項目のそれぞれは、一括で有効／無効を設定できるようにしてもよい。
【００９６】
なお、本発明は上記実施の形態に限られたものではなく、趣旨を逸脱しない範囲で適宜変更することが可能である。
【００９７】
上述した実施の形態では、本発明をデジタルビデオカメラに適用した場合について説明したが、本発明の適用対象となる撮像装置は、デジタルビデオカメラに限られない。例えば、デジタルカメラ、並びに、カメラ機能付きの携帯電話及びＰＨＳ（Personal Handyphone System）等の撮像装置にも適用することができる。なお、カメラ機能付きの携帯電話には、スマートフォンが含まれる。
【００９８】
上述した本実施の形態では、マナーモードにおいて表示すると決定した領域（縮小されたプレビュー画像の領域、顔認識された領域、合焦した領域、色追尾している領域、動画像を記録している旨を示す画像の領域、ユーザーに指定された領域、表示画面の中央を中心とした所定サイズの領域、及び、枠画像の領域）を除く全ての領域を非表示にするようにしているが、これに限られない。マナーモードにおいて表示すると決定した領域を除いた領域の全てではなく、少なくとも一部を非表示とするようにしてもよい。すなわち、プレビュー画像を表示する領域を通常モードよりも減少させるとともに、減少分の領域の少なくとも一部において画像を非表示にするようにしてもよい。そのようにしても、表示画面における明るさを低減することができるからである。しかしながら、好ましくは、上述した本実施の形態のように、マナーモードにおいて表示すると決定した領域のみを表示するようにして、それ以外の領域を全て非表示にすることで、より表示画面における明るさを低減することができる。
【００９９】
また、上述した実施の形態１〜８は、それらのうちの少なくとも２つ以上を任意に組み合わせて実施するようにしてもよい。以下、それらの組み合わせのうち、いくつかの組み合わせを例に挙げて説明する。例えば、実施の形態１及び２を組み合わせて、縮小されたプレビュー画像のうち、顔認識された領域を表示するようにしてもよい。この場合であっても、縮小率を低めに設定することで、確認容易性の低下を抑制することができるからである。また、例えば、実施の形態４及び７を組み合わせて、色追尾している領域と、表示画面の中央の領域を表示するようにしてもよい。また、例えば、実施の形態５及び８を組み合わせて、動画像を記録している旨を示す画像の領域と、枠画像の領域を表示するようにしてもよい。また、例えば、実施の形態３、５及び６を組み合わせて、合焦した領域と、動画像を記録している旨を示す画像の領域と、ユーザーに指定された領域とを表示するようにしてもよい。
【０１００】
なお、実施の形態を組み合わせた場合におけるビデオ・オーディオ信号処理部は、それぞれの実施の形態においてビデオ・オーディオ信号処理部に含まれる処理部を組み合わせることによって実現することができることは自明であるため、説明を省略する。例えば、実施の形態１及び２を組み合わせた場合におけるビデオ・オーディオ信号処理部１４についてのみ説明するならば、ビデオ・オーディオ信号処理部１４は、画像縮小処理部１４１と、顔認識処理部１４３と、非表示処理部１４２とを有することになる。そして、非表示処理部１４２は、画像縮小処理部１４１が縮小した画像において、顔認識処理部１４３が顔認識した領域を除いた領域を非表示の色で塗りつぶした画像データを生成することになる。
【０１０１】
本発明の実施の形態にかかる撮像装置は、上述の実施の形態の機能を実現するプログラムを、ビデオ・オーディオ信号処理部１４が有するＣＰＵ（プロセッサ）が実行することによって、構成することが可能である。
【０１０２】
また、このプログラムは、様々なタイプの非一時的なコンピュータ可読媒体（non-transitory computer readable medium）を用いて格納され、コンピュータ（撮像装置）に供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１０３】
また、プロセッサが上述の実施の形態の機能を実現するプログラムを実行することにより、上述の実施の形態の機能が実現される場合だけでなく、このプログラムが、プロセッサによって実行されているＯＳ（Operating System）もしくはアプリケーションソフトウェアと共同して、上述の実施の形態の機能を実現する場合も、本発明の実施の形態に含まれる。
【符号の説明】
【０１０４】
１    デジタルビデオカメラ
１１    レンズ
１２    素子
１３    カメラ制御部
１４    ビデオ・オーディオ信号処理部
１５    ＬＣＤモニタ
１６    出力部
１７    ライト
１８    フラッシュ発光部
１９    ＡＦ補助光発光部
２０    スピーカ
２１    ＵＩ部
２２    内蔵メモリ
２３    不揮発性メモリ
２４    記録メディア
１４１    画像縮小処理部
１４２    非表示処理部
１４３    顔認識処理部
１４４    合焦処理部
１４５    色追尾処理部
１４６    撮像表示処理部
１４７    指定領域取得処理部
１４８    枠画像処理部
【図１】
2013115722.tif 000003
【図２】
2013115722.tif 000004
【図３】
2013115722.tif 000005
【図５】
2013115722.tif 000006
【図６】
2013115722.tif 000007
【図８】
2013115722.tif 000008
【図１０】
2013115722.tif 000009
【図１２】
2013115722.tif 000010
【図１４】
2013115722.tif 000011
【図１６】
2013115722.tif 000012
【図１８】
2013115722.tif 000013
【図４Ａ】
2013115722.tif 000014
【図４Ｂ】
2013115722.tif 000015
【図７】
2013115722.tif 000016
【図９Ａ】
2013115722.tif 000017
【図９Ｂ】
2013115722.tif 000018
【図１１Ａ】
2013115722.tif 000019
【図１１Ｂ】
2013115722.tif 000020
【図１３】
2013115722.tif 000021
【図１５】
2013115722.tif 000022
【図１７】
2013115722.tif 000023
【図１９】
2013115722.tif 000024